(57)【特許請求の範囲】
【請求項１】
遊技球が流下可能な遊技領域と、
前記遊技領域を流下する遊技球が入球可能となるように上方に向かって開放した入球口と、
前記入球口の開口面と平行な扉直動方向に直動して前記入球口を開閉すると共に、上面のうち前記扉直動方向と直交した横方向の一端部が他端部より低くなるように傾斜した開閉扉とを備え、
前記開閉扉が前記扉直動方向の閉鎖位置に配置されると、前記開閉扉の先端縁と前記入球口の開口縁に備えた扉対向壁との間が遊技球の直径より狭くなって前記入球口への遊技球の入球が規制されかつ前記開閉扉上を遊技球が転動して通過可能となる一方、前記開閉扉が前記扉直動方向の開放位置に配置されると、前記開閉扉の先端縁と前記扉対向壁との間が遊技球の直径より広くなって前記入球口に遊技球が入球可能となり、前記入球口への入球に起因して遊技者に利益を付与する遊技機において、
前記開閉扉の先端縁のうち前記開閉扉上の遊技球の転動方向である扉上球転動方向の下端部を、前記扉対向壁から離れる側に切り欠いて扉切欠部を形成すると共に、前記扉直動方向の奥行きを遊技球の直径より小さくするように設定し、
前記開閉扉が前記開放位置から前記閉鎖位置へと移動して、前記開閉扉の先端縁と前記扉対向壁との間に遊技球が挟まった場合に、その挟まった遊技球が前記開閉扉の傾斜により前記扉切欠部に誘導されるようにし、
前記開閉扉が前記閉鎖位置に配置された状態で、前記開閉扉の正規の駆動源以外の外部から、前記開閉扉を前記開放位置に移動するための開駆動力を受けたときに前記開閉扉の前記開放位置への移動を規制すると共に、前記開閉扉が前記扉切欠部の奥部と前記扉対向壁との間に遊技球を挟んで半開位置に配置された状態で、前記正規の駆動源以外の外部から前記開駆動力を受けたときに前記開閉扉の前記開放位置への移動を許容する扉開放規制機構を備えたことを特徴とする遊技機。
【請求項２】
前記扉切欠部は、前記扉上球転動方向の下流に向かうに従って前記扉直動方向で広くなるように形成されたことを特徴とする請求項１に記載の遊技機。
【請求項３】
前記開閉扉の先端縁の下面側を面取りして先細り形状にしたことを特徴とする請求項１又は２に記載の遊技機。
【請求項４】
当否判定条件の成立に基づいて当否判定を行う当否判定手段と、
前記当否判定手段が当りと判定したことに基づいて大当り遊技を実行して、前記開閉扉を前記閉鎖位置から前記開放位置へと移動すると共に、予め設定された開放時間が経過するか又は予め設定された入球個数の遊技球が前記入球口に入球したときに前記開閉扉を前記閉鎖位置に移動する大当り遊技実行手段とを備えたことを特徴とする請求項１乃至３の何れか１の請求項に記載の遊技機。
【請求項５】
前記開閉扉を前記閉鎖位置に付勢する付勢手段と、
前記付勢手段に抗して前記開閉扉を前記開放位置に移動するための電気的駆動源と、
前記電気的駆動源に設けられて、前記扉直動方向と直交する方向に直動する直動出力部と、
前記直動出力部から前記開閉扉へと動力を伝達するために往復動可能なリンク部材と、
前記リンク部材と前記開閉扉とにより構成され、前記直動出力部の直動を前記扉直動方向に変換して前記開閉扉に伝達する動力変換機構とを備えたことを特徴とする請求項１乃至４の何れか１の請求項に記載の遊技機。
【請求項６】
前記電気的駆動源は、前記扉上球転動方向と略平行に直動する前記直動出力部としてのプランジャを中心部に挿通して備えたソレノイドであり、
前記リンク部材として、前記プランジャと一体になって直動する直動リンク部材と、前記扉直動方向と前記扉上球転動方向とに共に直交した回転軸を中心に回転可能に設けられた回動リンク部材とが備えられ、
前記回動リンク部材の回転中心に対して前記扉直動方向でオフセットした位置に配置されて前記扉上球転動方向で互いに当接し、前記直動リンク部材の直動により前記回動リンク部材を回転させる第１動力伝達当接部を前記直動リンク部材と前記回動リンク部材とに設けると共に、
前記回動リンク部材の回転中心に対して前記扉上球転動方向でオフセットした位置に配置されて前記扉直動方向で互いに当接し、前記回動リンク部材の回転により前記開閉扉を前記扉直動方向に直動させる第２動力伝達当接部を前記回動リンク部材と前記開閉扉とに設けたことを特徴とする請求項５に記載の遊技機。
【請求項７】
前記回動リンク部材を対にして設け、前記第２動力伝達当接部を前記開閉扉のうち前記扉上球転動方向の中央に対して左右対称となる対称二位置に配置したことを特徴とする請求項６に記載の遊技機。
【請求項８】
前記プランジャを前記ソレノイドから突出させる方向に付勢するスプリングを前記付勢手段として備え、前記ソレノイドが非励磁状態で前記スプリングの付勢により前記第１動力伝達当接部同士がクリアランスを介して離間するように構成し、
前記回動リンク部材には、前記ソレノイドが非励磁状態で、前記直動リンク部材の前記第１動力伝達当接部に対して前記扉直動方向で対向する一方、前記ソレノイドを励磁したときに、前記直動リンク部材の前記第１動力伝達当接部が前記回動リンク部材の前記第１動力伝達当接部に当接する位置まで前記クリアランス分の距離を移動することで、前記直動リンク部材の前記第１動力伝達当接部に対して前記扉直動方向で対向しなくなる回転ストッパを備えたことを特徴とする請求項６又は７に記載の遊技機。
【発明の詳細な説明】
【技術分野】
【０００１】
本発明は、開閉扉によって開閉される入球口を遊技領域に備え、開閉扉が閉鎖位置に配置されると入球口への遊技球の入球が規制され、開閉扉が開放位置に配置されると入球口への遊技球の入球が可能になる遊技機に関する。
【背景技術】
【０００２】
従来、この種の遊技機として、水平方向前方を向いて開放した横長長方形の入球口の下辺部を中心に開閉扉が回動して、開閉扉が回動中心の前方に倒れて遊技球を開放した開放状態と、開閉扉が回動中心の上方に起立して入球口を閉塞した閉塞状態とに切り替わるものが知られている。ところが、この遊技機では、開閉扉を閉じる制御を行っても遊技球の開口縁との間に遊技球が挟まって実際には開閉扉が開放状態に維持され、制御上、閉じているはずの入球口に遊技球が入球するという異常入球が大量に発生し得た（例えば、特許文献１参照）。
【先行技術文献】
【特許文献】
【０００３】
【特許文献１】特開２００２−４５４８５号公報（段落［０００２］，［０００３］）
【発明の概要】
【発明が解決しようとする課題】
【０００４】
ところで、上記した回動式の開閉扉とは別に、近年、直動式の開閉扉を備えた遊技機が開発されている。しかしながら、そのような直動式の開閉扉を備えた遊技機においても、上記した回動式の開閉扉を備えた遊技機と同様に異常入球が大量に発生する事態が生じ得た。
【０００５】
本発明は、上記事情に鑑みてなされたもので、入球口への異常入球を抑えることが可能な遊技機の提供を目的とする。
【課題を解決するための手段】
【０００６】
上記目的を達成するためになされた請求項１の発明に係る遊技機は、遊技球が流下可能な遊技領域と、遊技領域を流下する遊技球が入球可能となるように上方に向かって開放した入球口と、入球口の開口面と平行な扉直動方向に直動して入球口を開閉すると共に、上面のうち扉直動方向と直交した横方向の一端部が他端部より低くなるように傾斜した開閉扉とを備え、開閉扉が扉直動方向の閉鎖位置に配置されると、開閉扉の先端縁と入球口の開口縁に備えた扉対向壁との間が遊技球の直径より狭くなって入球口への遊技球の入球が規制されかつ開閉扉上を遊技球が転動して通過可能となる一方、開閉扉が扉直動方向の開放位置に配置されると、開閉扉の先端縁と扉対向壁との間が遊技球の直径より広くなって入球口に遊技球が入球可能となり、入球口への入球に起因して遊技者に利益を付与する遊技機において、開閉扉の先端縁のうち開閉扉上の遊技球の転動方向である扉上球転動方向の下端部を、扉対向壁から離れる側に切り欠いて扉切欠部を形成すると共に、扉直動方向の奥行きを遊技球の直径より小さくするように設定し、開閉扉が開放位置から閉鎖位置へと移動して、開閉扉の先端縁と扉対向壁との間に遊技球が挟まった場合に、その挟まった遊技球が開閉扉の傾斜により扉切欠部に誘導されるようにし、開閉扉が閉鎖位置に配置された状態で、開閉扉の正規の駆動源以外の外部から、開閉扉を開放位置に移動するための開駆動力を受けたときに開閉扉の開放位置への移動を規制すると共に、開閉扉が扉切欠部の奥部と扉対向壁との間に遊技球を挟んで半開位置に配置された状態で、正規の駆動源以外の外部から開駆動力を受けたときに開閉扉の開放位置への移動を許容する扉開放規制機構を備えたところに特徴を有する。
【０００７】
請求項２の発明は、請求項１に記載の遊技機において、扉切欠部は、扉上球転動方向の下流に向かうに従って扉直動方向で広くなるように形成されたところに特徴を有する。
【０００８】
請求項３の発明は、請求項１又は２に記載の遊技機において、開閉扉の先端縁の下面側を面取りして先細り形状にしたところに特徴を有する。
【０００９】
請求項４の発明は、請求項１乃至３の何れか１の請求項に記載の遊技機において、当否判定条件の成立に基づいて当否判定を行う当否判定手段と、当否判定手段が当りと判定したことに基づいて大当り遊技を実行して、開閉扉を閉鎖位置から開放位置へと移動すると共に、予め設定された開放時間が経過するか又は予め設定された入球個数の遊技球が入球口に入球したときに開閉扉を閉鎖位置に移動する大当り遊技実行手段とを備えたところに特徴を有する。
【００１２】
請求項５の発明は、請求項１乃至４の何れか１の請求項に記載の遊技機において、開閉扉を閉鎖位置に付勢する付勢手段と、付勢手段に抗して開閉扉を開放位置に移動するための電気的駆動源と、電気的駆動源に設けられて、扉直動方向と直交する方向に直動する直動出力部と、直動出力部から開閉扉へと動力を伝達するために往復動可能なリンク部材と、リンク部材と開閉扉とにより構成され、直動出力部の直動を扉直動方向に変換して開閉扉に伝達する動力変換機構とを備えたところに特徴を有する。
【００１３】
請求項６の発明は、請求項５に記載の遊技機において、電気的駆動源は、扉上球転動方向と略平行に直動する直動出力部としてのプランジャを中心部に挿通して備えたソレノイドであり、リンク部材として、プランジャと一体になって直動する直動リンク部材と、扉直動方向と扉上球転動方向とに共に直交した回転軸を中心に回転可能に設けられた回動リンク部材とが備えられ、回動リンク部材の回転中心に対して扉直動方向でオフセットした位置に配置されて扉上球転動方向で互いに当接し、直動リンク部材の直動により回動リンク部材を回転させる第１動力伝達当接部を直動リンク部材と回動リンク部材とに設けると共に、回動リンク部材の回転中心に対して扉上球転動方向でオフセットした位置に配置されて扉直動方向で互いに当接し、回動リンク部材の回転により開閉扉を扉直動方向に直動させる第２動力伝達当接部を回動リンク部材と開閉扉とに設けたところに特徴を有する。
【００１４】
請求項７の発明は、請求項６に記載の遊技機において、回動リンク部材を対にして設け、第２動力伝達当接部を開閉扉のうち扉上球転動方向の中央に対して左右対称となる対称二位置に配置したところに特徴を有する。
【００１５】
請求項８の発明は、請求項６又は７に記載の遊技機において、プランジャをソレノイドから突出させる方向に付勢するスプリングを付勢手段として備え、ソレノイドが非励磁状態でスプリングの付勢により第１動力伝達当接部同士がクリアランスを介して離間するように構成し、回動リンク部材には、ソレノイドが非励磁状態で、直動リンク部材の第１動力伝達当接部に対して扉直動方向で対向する一方、ソレノイドを励磁したときに、直動リンク部材の第１動力伝達当接部が回動リンク部材の第１動力伝達当接部に当接する位置までクリアランス分の距離を移動することで、直動リンク部材の第１動力伝達当接部に対して扉直動方向で対向しなくなる回転ストッパを備えたところに特徴を有する。
【発明の効果】
【００１６】
［請求項１の発明］
請求項１の遊技機では、入球口が上方に向かって開放し、その入球口の開口面と平行な扉直動方向に開閉扉が直動して入球口が開閉される。そして、開閉扉が閉鎖位置に配置されると、開閉扉の先端縁と入球口の開口縁に備えた扉対向壁との間が遊技球の直径より狭くなって入球口への遊技球の入球が規制されかつ開閉扉上を遊技球が転動して通過可能となる。一方、開閉扉が往復動方向の開放位置に配置されると、開閉扉の先端縁と扉対向壁との間が遊技球の直径より広くなって入球口に遊技球が入球可能となり、入球口への入球に起因して遊技者に利益が付与される。ここで、本発明の遊技機では、開閉扉の先端縁のうち扉上球転動方向の下端部を切り欠いて扉切欠部が形成されているので、開閉扉を閉じる際に扉対向壁との間に遊技球が挟まっても、その挟まった遊技球は、開閉扉の傾斜により扉切欠部に誘導される。そして、扉切欠部に受容されるときに開閉扉と扉対向壁との挟持力が弱まって入球口内に取り込まれる。また、扉切欠部の奥行きは遊技球の直径より小さくなっているので、仮に、遊技球が入球口に取り込まれずに扉切欠部の奥部と扉対向壁との間に挟持されたとしても、半開きになった開閉扉の先端縁と扉対向壁との間から入球口内に遊技球が進入することはないし、開閉扉が閉鎖位置に配置された状態で扉切欠部を通して入球口に遊技球が入球することもない。これらにより、入球口の異常入球を抑えることができる。
また、本構成によれば、閉鎖位置に配置された開閉扉は、正規の駆動源以外の外力で開くことが規制されているので、不正に開閉扉を開く行為が防がれる。それでいて、半開位置に配置された開閉扉は、正規の駆動源以外の外力で開くことができるので、遊技ホールの係員が、開閉扉と扉対向壁との間に遊技球を押し込んで開閉扉を広げながら遊技球を入球口に容易に入球させることができる。
【００１７】
［請求項２の発明］
請求項２の構成によれば、扉切欠部は、扉上球転動方向の下流に向かうに従って扉直動方向で広くなっているので、扉切欠部の奥部と扉対向壁との間に挟持された遊技球が下流側に移動するに従って開閉扉が扉対向壁へと接近することになり、遊技球の異常入球をより確実に防止することができる。
【００１８】
［請求項３の発明］
請求項３の構成によれば、開閉扉の先端縁の下面側を面取りして先細り形状にしたので、開閉扉の先端縁に当接した遊技球が入球口内に誘導され、開閉扉と扉対向壁との間に遊技球を挟まり難くすることができる。
【００１９】
［請求項４の発明］
請求項４の構成によれば、当否判定結果が当りであれば、開閉扉が閉鎖位置から開放位置へと移動し、入球口への入球により遊技者が利益を得ることができるので、遊技者に当否判定の結果に対する興味と興奮を抱かせることができる。
【００２１】
［請求項７の発明］
請求項７の構成によれば、開閉扉の姿勢が安定して、スムーズな開閉扉の直動動作が可能になる。
【００２２】
［請求項５の発明］
請求項５の構成によれば、開閉扉と電気的駆動源とを扉直動方向でコンパクトに配置することができる。
【００２３】
［請求項６の発明］
請求項６の構成によれば、ソレノイドによって扉上球転動方向と略平行に駆動されるプランジャの直動を、扉直動方向に変換して開閉扉に伝達することができ、これにより、開閉扉とソレノイドとを扉直動方向でコンパクトに配置することができる。
【００２４】
［請求項８の発明］
請求項８の構成によれば、閉鎖位置に配置された開閉扉は、ソレノイドの出力以外で開くことが規制されているので、不正に開閉扉を開く行為が防がれる。
【図面の簡単な説明】
【００２５】
【図１】本発明の一実施形態に係るパチンコ遊技機の正面図
【図２】遊技板の正面図
【図３】表示枠体の斜視図
【図４】（Ａ）開閉扉が閉鎖位置に位置した状態における上大入賞口の斜視図、（Ｂ）開閉扉が開放位置に位置した状態における上大入賞口の斜視図
【図５】開閉扉が開放位置に位置した状態における動力変換機構の背面斜視図
【図６】開閉扉が閉鎖位置に位置した状態における動力変換機構の背面図
【図７】動力変換機構の分解斜視図
【図８】（Ａ）閉鎖位置におけるリンク部材の断面図、（Ｂ）閉鎖位置から開放位置へ移動する途中のリンク部材の断面図、（Ｃ）開放位置におけるリンク部材の断面図、
【図９】（Ａ）開閉扉に遊技球が挟まった状態における上大入賞口の斜視図、（Ｂ）扉切欠部に遊技球が挟まった状態における上大入賞口の斜視図
【図１０】扉切欠部に遊技球が挟まった状態における動力変換機構の背面斜視図
【発明を実施するための形態】
【００２６】
以下、本発明を適用したパチンコ遊技機１０に係る一実施形態を、図１〜図１０に基づいて説明する。なお、下記の説明において「右側」とは、パチンコ遊技機１０に前方から対峙した状態で向かって右側（丁度、図１の右側）を指し、「左側」とは、パチンコ遊技機１０に前方から対峙した状態で向かって左側を指すものとする。
【００２７】
図１に示した本実施形態のパチンコ遊技機１０は、前面枠１１０の後面に遊技板１１を重ねて備えている。前面枠１１０には略円形のガラス窓１１１が設けられると共に、そのガラス窓１１１に対応した略円形状の遊技領域ＹＲが遊技板１１の前面に設けられ、ガラス窓１１１を通してＹＲが視認可能となっている。
【００２８】
ガラス窓１１１の縁部には、枠飾りランプ３３が備えられている。また、前面枠１１０のうちガラス窓１１１より上側の両角位置には、それぞれスピーカ３０，３０が設けられている。一方、前面枠１１０のうちガラス窓１１１より下方には、上皿２７Ａ及び下皿２７Ｂが上下２段にして設けられている。そして、ガラス窓１１１の下側縁部に備えた第１の遊技球排出ボタン２９Ａを押すことで、上皿２７Ａ内の遊技球を下皿２７Ｂに移すことができる。また、下皿２７Ｂの中央下部には、第２の遊技球排出ボタン２９Ｂが備えられ、これを右へスライド操作すると、下皿２７Ｂに収容されている遊技球が下方に排出される。
【００２９】
前面枠１１０のうち右下角部には、操作ノブ２８が設けられ、その操作ノブ２８の回動操作により上皿２７Ａ内の遊技球が遊技領域ＹＲ内へと、順次、発射されて遊技領域ＹＲ内を流下する。より具体的には、遊技領域ＹＲは、全体をガイドレール１２で囲まれ、そのガイドレール１２には、向かって左上端寄り位置に球進入口１２Ｋが形成されている。そして、操作ノブ２８の回動操作により、球進入口１２Ｋから遊技領域ＹＲの中央上端部に向けてガイドレール１２の内面に沿って遊技球が順次打ち込まれて、遊技領域ＹＲを流下する。また、操作ノブ２８の回動量によって遊技球の発射強度を調整することができる。
【００３０】
遊技領域ＹＲのほぼ中央にはメイン表示器３５が備えられている。メイン表示器３５は、例えば、液晶表示器（ＴＦＴ−ＬＣＤモジュール）であって、その表示画面３６が遊技板１１に固定された表示枠体４０（所謂「センター役物」）で取り囲まれている。表示画面３６は、表示枠体４０の前面より奥側に配置されており、遊技者は、表示枠体４０を通して表示画面３６の演出表示を視認可能となっている。
【００３１】
メイン表示器３５の下方には、始動入賞口１４Ａ，１４Ｂ、下大入賞口１５及びアウト口１６が、上から順に間隔を開けて並べて設けられている。遊技領域ＹＲのうち、メイン表示器３５の左側方には始動ゲート１８と風車１７とが備えられ、風車１７の下方であって始動入賞口１４Ａ，１４Ｂの左側方には、一般入賞口２０、２１がガイドレール１２に沿って設けられている。さらに、これら入賞口以外に、遊技領域ＹＲには図示しない複数の障害釘が設けられている。
【００３２】
図２を参照しつつ遊技領域ＹＲに備えた役物についてさらに詳説する。なお、以下の説明において「入賞」と「入球」は同じ意味である。一般入賞口２０，２１は、所謂、ポケット構造をなし、遊技球が１つずつ入ることが可能な大きさで上方に開口している。一般入賞口２０，２１へ入賞すると、その遊技球は遊技板１１の裏側に取り込まれ、代わりに所定数の賞球が上皿２７Ａに払い出される。
【００３３】
始動ゲート１８は、遊技球が潜って通過可能な門形構造をなし、通過した遊技球は、その始動ゲート１８に内蔵したゲートスイッチ（図示せず）によって検出される。この検出信号に基づいて、普通図柄表示器３８において普通図柄が変動表示される。
【００３４】
普通図柄表示器３８は、遊技板１１の右下方に設けられている。普通図柄表示器３８は、普通図柄として１つのＬＥＤで構成されている。普通図柄表示器３８は、始動ゲート１８を遊技球が通過すると、ＬＥＤを所定期間に亘って点滅（変動表示）した後、停止表示する。例えば、停止表示された時に点灯していた場合には、次述する下側の始動入賞口１４Ｂが開放状態になって、遊技球が入賞し易い状態になる。また、普通図柄表示器３８が変動表示している間に始動ゲート１８を通過した遊技球は、所定数（例えば、４つ）まで累積カウントされ、普通図柄表示器３８の下方に設けられた普通保留数表示部３８Ｈに表示される。普通保留数表示部３８Ｈは、例えば、横並びの２つのＬＥＤで構成され、保留数に応じて点灯又は消灯する。
【００３５】
上下の各始動入賞口１４Ａ，１４Ｂは、所謂、ポケット構造をなして上方に向かって開口している。各始動入賞口１４Ａ，１４Ｂに入った遊技球は、遊技板１１に設けた図示しない貫通孔を通って、遊技板１１の裏側に回収される。
【００３６】
上側に配置された始動入賞口１４Ａの上面開口は遊技球を１つずつ受け入れる大きさになっている。一方、下側に配置された始動入賞口１４Ｂは、始動入賞口１４Ａの真下に配置されており、その上面開口の左右両側には可動翼１４Ｃ，１４Ｃが備えられている。これら両可動翼１４Ｃ，１４Ｃは、常には起立状態になっており、両可動翼１４Ｃ，１４Ｃに挟まれた始動入賞口１４Ｂの開口幅も、遊技球を１つずつ受け入れる大きさになっている。そして、下側の始動入賞口１４Ｂの上方空間は、常には、上側の始動入賞口１４Ａを構成する部材と起立状態の可動翼１４Ｃ，１４Ｃとで囲まれて、遊技球が入らないようになっている。
【００３７】
これに対し、普通図柄表示器３８が点灯停止表示して開放条件が成立すると、下側の始動入賞口１４Ｂが開放状態となる。即ち、遊技板１１の裏に設けたソレノイド（図示せず）により、下側の始動入賞口１４Ｂに備えた可動翼１４Ｃ，１４Ｃが所定期間（例えば、０．５秒間）に亘って左右に倒される。可動翼１４Ｃ，１４Ｃが左右に倒れると、その倒れた可動翼１４Ｃ，１４Ｃに案内されて遊技球が始動入賞口１４Ｂに入賞可能となる。
【００３８】
上下の始動入賞口１４Ａ，１４Ｂの何れかに遊技球が入賞すると、各始動入賞口１４Ａ，１４Ｂ内に設けたセンサがその遊技球を検出し、その検出信号に基づいて、所定数の賞球が上皿２７Ａに払い出される。また、各始動入賞口１４Ａ，１４Ｂに遊技球が入賞すると、「大当たり遊技」を行うか否かを決定する当否判定の権利が発生し、パチンコ遊技機１０に備えたＣＰＵ（図示せず）が当否判定用のプログラムを実行し、その当否判定結果がメイン表示器３５によって遊技者に報知される。
【００３９】
具体的には、メイン表示器３５の表示画面３６には、通常、３つの左、中、右の特別図柄（図示せず）が横並びに表示されている。これら各特別図柄は、例えば、「０」〜「９」の数字を表記した複数種類のもので構成されており、通常は、各特別図柄ごと、所定の種類のものが停止表示されている。そして、両始動入賞口１４Ａ，１４Ｂの何れかに遊技球が入賞したときに、これら３つの特別図柄が、変動表示（上下方向にスクロール表示）され、所定時間後に、例えば、左、中、右の順で各特別図柄が停止表示される。このとき、例えば、全ての特別図柄が同じ図柄、即ち、ゾロ目になった場合に、遊技が「通常遊技」から「大当たり遊技」に移行する。また、最後に停止される特別図柄だけを残して、残りの二つの特別図柄が同一の図柄で停止した場合に、遊技が「リーチ状態」になる。
【００４０】
ここで、メイン表示器３５にて特別図柄が変動表示している最中又は「大当たり遊技」の最中に各始動入賞口１４Ａ，１４Ｂに入賞した遊技球の数は、所定の保留限度数まで保留記憶され、特別図柄が外れの図柄組み合わせで停止表示又は「大当たり遊技」が終了すると、その保留記憶に基づいて再び、特別図柄の変動表示が開始される。
【００４１】
本実施形態では保留限度数が「４」に設定されており、図１に示すように、普通図柄表示器３８及び普通図柄保留数表示部３８Ｈの下方に設けられた特図保留数表示部３５Ｈに表示される。特図保留数表示部３５Ｈは、例えば、横並びの２つのＬＥＤで構成され、保留数に応じて点灯又は消灯する。
【００４２】
下大入賞口１５は、遊技板１１の前面に開放して横長形状をなしており、常には、可動扉１５Ｔにて閉塞されている。そして、上記したように特別図柄がゾロ目で停止表示した場合に、可動扉１５Ｔが前側に倒れて下大入賞口１５が開放し、可動扉１５Ｔをガイドにして下大入賞口１５に遊技球が入賞可能になる。
【００４３】
ここで、可動扉１５Ｔが開放してから閉じるまでの間を「ラウンド」と称すると、１つのラウンドは、可動扉１５Ｔの開放時間が３０秒に達したか、又は、下大入賞口１５に遊技球が１０個入賞したか、の何れかの終了条件が先に満たされた場合に終了する。また、「大当たり遊技」は、最大で、例えば１５ラウンドまで継続される。
【００４４】
下大入賞口１５の内部には、図示しないが継続入賞口と計数入賞口とが設けられている。可動扉１５Ｔが開いたときには、継続入賞口は開放しており、継続入賞口に入賞すると継続入賞口が閉鎖される一方、計数入賞口は開放されたままとなる。継続入賞口内に設けた特定領域センサ（図示せず）が遊技球の入賞を検出すると、前述した終了条件を満たしてラウンドが終了した後で、連続して次のラウンドが実行される。また、計数入賞口内に設けたカウントセンサ（図示せず）が遊技球の入賞を検出すると、継続入賞口への入賞球と合わせて、下大入賞口１５への入賞球がカウントされ、これらが前記したように計１０個に達したか否かがチェックされる。なお、下大入賞口１５に遊技球が入賞すると、他の入賞口１４Ａ，１４Ｂ，２０，２１への入賞時より多い所定数の遊技球が、上皿２７Ａに払い出される。
【００４５】
次に、表示枠体４０について詳説する。図３には、表示枠体４０が遊技板１１から分離した状態が示されている。同図に示すように、表示枠体４０の側面からは取付壁４０Ｆが張り出している。そして、表示枠体４０のうち取付壁４０Ｆより後側の嵌合部を、遊技板１１に貫通形成された枠取付貫通孔（図示せず）の内側に嵌合して取付壁４０Ｆが遊技板１１の前面に敷設された状態で、取付壁４０Ｆの複数のビス孔４０Ｅに通したビスを遊技板１１に締め付けて表示枠体４０が遊技板１１に固定されている。
【００４６】
表示枠体４０のうち上辺部及び両側辺部には、遊技板１１の前面（取付壁４０Ｆ）より前方に突出した枠前面突部４３が備えられている。枠前面突部４３は、遊技板１１の前面より例えば遊技球の直径の１．５倍程度分、突出してガラス窓１１１のガラス板１１２（図１参照）に隣接し、枠前面突部４３の前方を遊技級が通過することを規制している。表示枠体４０の左辺部分における上下方向の中間部分には、ワープ通路４１が設けられている。表示枠体４０の左辺部の外側壁には、斜め上方に向かってワープ通路４１の入口が開口している。ワープ通路４１は、階段状に複数回屈曲して入口から下方に向かって延びている。そして、ワープ通路４１の出口が表示枠体４０の内側（表示画面３６側）に開口している。
【００４７】
表示枠体４０の下辺部の上面には、遊技球が左右に転動可能な転動ステージ４２が備えられており、ワープ通路４１の出口が転動ステージ４２の左端に連絡されている。これにより、遊技領域ＹＲのうち表示枠体４０の左側方を流下する遊技球を転動ステージ４２に誘導可能となっている。また、表示枠体４０の下辺部分のうち転動ステージ４２の長手方向における中間部はアーチ部４２Ａになっていて、そのアーチ部４２Ａの下方に球受傾斜部４２Ｂが設けられている。そして、表示枠体４０内で転動ステージ４２を転動した遊技球がアーチ部４２Ａの後側縁部から球受傾斜部４２Ｂ上に転落して球受傾斜部４２Ｂを前方に転動し、表示枠体４０外へと排出される。なお、球受傾斜部４２Ｂの左右方向の中央部にはガイド溝４２Ｇが設けられ、そのガイド溝４２Ｇ内を流下して表示枠体４０外へと排出された遊技球は、殆どが始動入賞口１４Ａに入賞するようになっている。
【００４８】
表示枠体４０の上辺部の上面における左右方向の中央には、頂上段差部４４が設けられ、その頂上段差部４４より右側が左側より高くなっている。その頂上段差部４４は、遊技領域ＹＲの中央最上部に配置され、遊技球の発射力の強弱により、遊技球が、頂上段差部４４の上を通り越して表示枠体４０の右側の流下スペースを流下するか、頂上段差部４４の上を通り越さずに、表示枠体４０の左側の流下スペースを流下するかに分かれる。なお、最大の発射力で遊技球を発射しない限り、殆どの遊技球は、頂上段差部４４を越えずに左側の流下スペースを流下するようになっている。
【００４９】
さて、図４（Ｂ）に示すように、表示枠体４０の上辺部の上面における頂上段差部４４の左側部分には、上大入賞口６１（本発明に係る「入球口」に相当する）が形成されている。上大入賞口６１は、通常は、図４（Ａ）に示すように、開閉扉７１によって閉塞され、その開閉扉７１の上面が平坦ガイド面４３Ｍ１になっている。その平坦ガイド面４３Ｍ１は、頂上段差部４４の下端部から左下方に向かって所定の角度で緩やかに傾斜して延び、その平坦ガイド面４３Ｍ１の下端部から湾曲ガイド面４３Ｍ２が左下方に向かって湾曲しながら下るように延びている。
【００５０】
詳細には、上大入賞口６１は、枠前面突部４３の前端に備えた略平板状の突部前面壁４５と取付壁４０Ｆとの間の壁を切除してなり、上大入賞口６１の長さは、遊技球を４〜６個一列に並べた程度であると共に、上大入賞口６１の幅は、遊技球の直径より若干大きくなっている。また、上大入賞口６１の前側の内面は、突部前面壁４５の後面と略面一になっていて、上大入賞口６１の後側の開口縁には、頂上段差部４４の下端部から左下方に向かって延びたスリット４９が形成されている。
【００５１】
突部前面壁４５のうち上大入賞口６１の前側部分を除いた全体では、突部前面壁４５の前面と枠前面突部４３の上面とが直交して枠前面突部４３の前端外縁エッジ部４３Ｅを構成している。これに対し、突部前面壁４５のスリット４９の前方に位置した部分は、本発明に係る扉対向壁４８になっていて、その扉対向壁４８の上端部は、前端外縁エッジ部４３Ｅの延長線に対して上方に若干突出した対向壁突部４８Ｔになっている。また、対向壁突部４８Ｔの上面はスリット４９と同じ角度で傾斜して直線上に延びている。
【００５２】
図９（Ａ）に示すように、上大入賞口６１の底面６１Ｓは、スリット４９より下方位置でスリット４９と同様に左下方に向かって下るように傾斜している。そして、上大入賞口６１の下端部に連通した遊技球導入孔４６（図５参照）が、湾曲ガイド面４３Ｍ２の下方で折り返されて右斜め下方に延びてから後方に屈曲している。なお、突部前面壁４５は透光部材で構成されており、遊技球が上大入賞口６１内から遊技球導入孔４６に進入して折り返すように転動する状態が、突部前面壁４５を通して視認可能となっている。また、遊技球導入孔４６のうち上大入賞口６１側の端部には、遊技球を検出するための検出スイッチ４６Ｓが備えられている。
【００５３】
図４（Ａ）に示すように、開閉扉７１は、スリット４９を前後に貫通しており、開閉扉７１の後端部が取付壁４０Ｆの後方において、図５に示した動力変換機構９９に連結されている。図７に示すように、開閉扉７１は、帯板の一部を切り欠いた形状をなし、その長手方向の全長は、図４（Ａ）に示すように、上大入賞口６１と略同一になっている。また、開閉扉７１の前後方向の幅は、上大入賞口６１の開口幅より大きくなっていて、開閉扉７１の先端が扉対向壁４８に当接した状態で開閉扉７１の後端部はスリット４９を通して取付壁４０Ｆの後方に突出した状態になる。その開閉扉７１の後縁部には、本発明の「連結部」に相当する１対の台座部７３Ｚ，７３Ｚが並べて設けられている。これに対して、図４（Ｂ）に示すように、スリット４９には、長手方向の中間部を下方に段付き状に広げた１対の幅広部４９Ａ，４９Ａが設けられている。そして、台座部７３Ｚ，７３Ｚが幅広部４９Ａ，４９Ａに対して前後動可能に係合している。また、各台座部７３Ｚは、開閉扉７１の下面から突出した直方体構造をなし、開閉扉７１の上面に対して段付き状に陥没している。
【００５４】
各台座部７３Ｚの下端壁には、ピン係合長孔７３が形成されている。それらピン係合長孔７３は、開閉扉７１の上面における遊技球の転動方向（図５、図７等に示した矢印Ｈ１の方向、以下、「扉上球転動方向Ｈ１」という）に長く延び、動力変換機構９９に備えた１対の後述する回動リンク部材９０，９０の各上面ピン９０Ｂが各ピン係合長孔７３に係合する。
【００５５】
図５に示すように、開閉扉７１のうち扉上球転動方向Ｈ１の下端部には、先端縁を扉対向壁４８から離れる側に切り欠いて扉切欠部７２が形成されている。詳細には、扉切欠部７２の上端の内側面７２Ｓ（図７参照）は、開閉扉７１における直動方向（図５、図７等に示した矢印Ｈ２の方向、以下、「扉直動方向Ｈ２」という）と平行になって開閉扉７１全体の先端面７１Ｓから直角に切れ込み、扉切欠部７２の奥面７２Ａは、図４（Ａ）に示すように、扉上球転動方向Ｈ１の下方に向かうに従って扉対向壁４８から離れるように傾斜している。そして、扉切欠部７２は、図９（Ｂ）に示すように、扉上球転動方向Ｈ１においては、遊技球の直径程度の大きさをなし、扉直動方向Ｈ２においては、遊技球の直径の１／４〜１／２程度の大きさになっている。また、図５に示すように、開閉扉７１全体の先端面７１Ｓ及び扉切欠部７２の奥面７２Ａは、共に、斜め下側前方を向くように傾斜している。なお、扉切欠部７２の奥面７２Ａと開閉扉７１における扉上球転動方向Ｈ１の下端面との角部には、上大入賞口６１の扉上球転動方向Ｈ１における下端側開口縁の段付き形状に対応させて段差部７４が設けられている。
【００５６】
動力変換機構９９に対し、頂上段差部４４側の側方には、本発明の「電気的駆動源」に相当するソレノイド８１が備えられている。そのソレノイド８１の中心には、本発明に係る「直動出力部」に相当するプランジャ８２（図７参照）が挿通され、扉上球転動方向Ｈ１と平行な方向で直動するようになっている。また、プランジャ８２の外側にはプランジャ８２をソレノイド８１から突出させる方向に付勢する図示しないコイルスプリング（本発明の「付勢手段」に相当する）が挿通され、ソレノイド８１を励磁することでプランジャ８２の先端部がソレノイド８１側に移動し、プランジャ８２の励磁を止めるとコイルスプリングの弾発力により、プランジャ８２の先端部がソレノイド８１から離れる側に移動する。そして、そのプランジャ８２の扉上球転動方向Ｈ１の直動が動力変換機構９９によって開閉扉７１の前後方向の直動に変換されて開閉扉７１に付与され、これにより開閉扉７１が上大入賞口６１を開閉する。
【００５７】
動力変換機構９９の具体的な構成は以下の通りである。即ち、動力変換機構９９には、可動部品として図７に示した直動リンク部材８４と１対の回動リンク部材９０，９０とが備えられ、これら直動リンク部材８４、回動リンク部材９０等によってプランジャ８２と開閉扉７１との間の動力伝達経路が構成されている。
【００５８】
直動リンク部材８４は、直動ロッド８５の一端部にベース部８６を備えた構造をなしている。ベース部８６は、ソレノイド８１の端面に対向した偏平直方体状をなし、一側面とソレノイド８１との対向面とに開放したプランジャ係合孔８６Ａを備えている（図５参照）。また、プランジャ８２の先端からは側方に円形フランジ８２Ｆが張り出していて、その円形フランジ８２Ｆがプランジャ係合孔８６Ａに側方から挿入されて、プランジャ係合孔８６Ａがプランジャ８２に固定されている。また、ベース部８６の上面及び下面には、両側面より端部から上方と下方とにそれぞれガイド突起８６Ｔが突出している。そして、これらガイド突起８６Ｔが表示枠体４０の固定壁部に備えた図示しない直動ガイド部に係合することで、直動リンク部材８４がプランジャ８２の軸回りの回動を規制された状態で直動可能にガイドされると共に、直動可能範囲におけるソレノイド８１側の開放位置とその反対側の閉鎖位置とに位置決めされる。
【００５９】
直動ロッド８５は、ベース部８６のうちソレノイド８１と反対側の面における後端寄り位置からプランジャ８２の直動方向に延びている。そして、直動ロッド８５の長手方向における基端寄り位置と先端寄り位置とには、それぞれピン係合溝８７が設けられている。各ピン係合溝８７は、前後方向と上方にと開放した角溝構造をなしている。また、直動ロッド８５のうちピン係合溝８７の両側には、ピン係合溝８７の底部から立ち上がって直動ロッド８５の上面から突出した１対の溝対向壁８７Ｖ，８７Ｗが備えられている。
【００６０】
１対の回動リンク部材９０，９０は、同形状の部品であって、回動板９０Ｄを上下に貫通した回動支軸９０Ｊを備えている。そして、それら１対の回動リンク部材９０の各回動支軸９０Ｊは、直動ロッド８５の前方側に配置されて、両端部を表示枠体４０の固定壁部に回転可能に支持されている。
【００６１】
回動板９０Ｄの上面のうち扉上球転動方向Ｈ１で回動支軸９０Ｊよりソレノイド８１から離れた位置からは上面ピン９０Ｂが突出し、各回動リンク部材９０の上面ピン９０Ｂが開閉扉７１の各ピン係合長孔７３に係合している。これにより、回動リンク部材９０が上方からみて時計回りに回転すると、開閉扉７１が開く方向に直動する。
【００６２】
回動板９０Ｄの下面からは、下面ピン９０Ａとストッパ突部９０Ｃが突出している。下面ピン９０Ａは、回動支軸９０Ｊより扉直動方向Ｈ２における後側に配置され、各回動リンク部材９０の下面ピン９０Ａが直動ロッド８５における各ピン係合溝８７に受容されている。また、図８（Ａ）に示すように、下面ピン９０Ａの径は、ピン係合溝８７の幅、即ち、溝対向壁８７Ｖ，８７Ｗ同士の間隔に比べて小さくなっている。そして、ソレノイド８１が非励磁状態で直動リンク部材８４が閉鎖位置に配置されたときには、下面ピン９０Ａがソレノイド８１側の一方の溝対向壁８７Ｖに当接し、他方の溝対向壁８７Ｗに対してクリアランスを介して対向した状態になる。この状態で、回動リンク部材９０は回動可能範囲の一端である閉鎖位置に配置されると共に、開閉扉７１は直動可能範囲の一端である閉鎖位置に配置される。
【００６３】
ストッパ突部９０Ｃは、回動リンク部材９０及び直動リンク部材８４が閉鎖位置に配置された状態で、他方の溝対向壁８７Ｗ（以下、「ストッパ兼用溝対向壁８７Ｗ」という）に扉直動方向Ｈ２の前方から対向する位置に配置されている。また、ストッパ突部９０Ｃは、回動支軸９０Ｊを中心とした円弧状をなし、一端にストッパ兼用溝対向壁８７Ｗの前面に対向する平坦面を備えている。そして、ソレノイド８１が非励磁状態で直動リンク部材８４が閉鎖位置に配置されたまま、開閉扉７１に外力を付与して開こうとすると、図８（Ａ）に示すように、ストッパ突部９０Ｃが扉直動方向Ｈ２でストッパ兼用溝対向壁８７Ｗに当接して回動リンク部材９０の回動が規制され、開閉扉７１が閉鎖位置に保持される。
【００６４】
一方、ソレノイド８１を励磁して直動リンク部材８４を閉鎖位置から開放位置に向けて移動したときには、図８（Ｂ）に示すように、ストッパ兼用溝対向壁８７Ｗが上記したクリアランスを移動して下面ピン９０Ａに当接するまで回動リンク部材９０が静止した状態で直動リンク部材８４のみが移動する。これにより、ストッパ兼用溝対向壁８７Ｗとストッパ突部９０Ｃとが扉上球転動方向Ｈ１でずれ、扉直動方向Ｈ２で相互に対向しない配置となる。これにより、ストッパ兼用溝対向壁８７Ｗが下面ピン９０Ａに当接してからは、直動リンク部材８４が開放位置側に移動するに従って回動リンク部材９０が回動し、回動リンク部材９０及び開閉扉７１が閉鎖位置から他端の開放位置へと移動する（図８（Ｃ）に示す状態）。
【００６５】
即ち、動力変換機構９９は、直動リンク部材８４，回動リンク部材９０，開閉扉７１が閉鎖位置に配置された状態で、ソレノイド８１側から動力を受けたときには作動し、開閉扉７１側から動力（本発明に係る「開駆動力」に相当する）を受けたときには作動しないようになっている。これにより、開閉扉７１に外力を付与して上大入賞口６１を開放する不正行為が防止される。また、
【００６６】
なお、本実施形態では、溝対向壁８７Ｖ，８７Ｗと下面ピン９０Ａとが本発明に係る「第１動力伝達当接部」に相当し、上面ピン９０Ｂと台座部７３Ｚとが「第２動力伝達当接部」に相当し、さらに、ストッパ突部９０Ｃが本発明に係る「回転ストッパ」に相当し、動力変換機構９９が本発明に係る「扉開放規制機構」に相当する。また、「第２動力伝達当接部」に相当する上記上面ピン９０Ｂ及び台座部７３Ｚは、開閉扉７１のうち扉上球転動方向Ｈ１の中央に対して左右対称となる対称二位置に配置されている。これにより、開閉扉７１の姿勢が安定して、スムーズな開閉扉７１の直動動作が可能になる。
【００６７】
上大入賞口６１の開閉は以下のように制御されている。即ち、メイン表示器３５にて特別図柄がゾロ目で停止した場合には、図示しないＣＰＵが大当り遊技実行用のプログラムを実行し、上大入賞口６１と下大入賞口１５のうちの何れか一方が選択的に入賞可能な状態になる。例えば、メイン表示器３５にて特別図柄が奇数のゾロ目で停止表示されたときには、上大入賞口６１に遊技球が入賞可能で、下大入賞口１５には入賞不可能となる。また、メイン表示器３５にて特別図柄が偶数のゾロ目で停止表示されたときには、上大入賞口６１に遊技球が入賞不可能となり、下大入賞口１５に入賞可能となる。上大入賞口６１も、下大入賞口１５と同様に上大入賞口６１の開放時間が３０秒に達したか、又は、遊技球が１０個入賞したか、の何れかの終了条件が先に満たされた場合に１つのラウンドが終了する。
【００６８】
なお、上下の始動入賞口１４Ａ，１４Ｂの何れかに遊技球が入賞することが本発明に係る「当否判定条件」に相当し、上記したＣＰＵが、当否判定用のプログラムを実行することで本発明に係る「当否判定手段」として機能し、大当り遊技実行用のプログラムを実行することで本発明に係る「大当り遊技実行手段」として機能する。
【００６９】
本実施形態のパチンコ遊技機１０の構成は以上であって、以下動作を説明する。遊技を開始するために操作ノブ２８を回動操作すると遊技球が遊技領域ＹＲに向かって、順次、打ち込まれ、遊技領域ＹＲをランダムに流下する。このとき、一部の遊技球は、表示枠体４０の頂上段差部４４に衝突して左側に跳ね返り上大入賞口６１に向かうか、直接、上方から上大入賞口６１に向かって流下する。ところが、通常は、上大入賞口６１は開閉扉７１によって閉塞されているので、上大入賞口６１に入球することなくその開閉扉７１の上面である平坦ガイド面４３Ｍ１を左下方に向かって転動して表示枠体４０から落下し、遊技領域ＹＲの下方に向かって流下する。また、開閉扉７１には、扉切欠部７２が形成されているものの、その扉切欠部７２の奥行きは遊技球の直径より小さいので遊技球が扉切欠部７２を通して上大入賞口６１に入球することもない。
【００７０】
遊技領域ＹＲを流下する遊技球の何れかが、始動入賞口１４Ａ，１４Ｂに入賞すると、当否判定が行われる。すると、表示画面３６上の左、中、右の特別図柄が変動表示後、停止表示され、その停止表示された左、中、右の特別図柄がゾロ目の場合には当たり、ゾロ目以外では外れとして当否判定結果が表示される。そして、特別図柄が奇数のゾロ目になった場合に、上大入賞口６１開放の大当たり遊技が実行され、開閉扉７１が閉鎖位置から開放位置に移動してスリット４９の奥部に退避し、上大入賞口６１が開放される。
【００７１】
上大入賞口６１開放の大当たり遊技は、上大入賞口６１の開放時間が３０秒に達したか、又は、遊技球が１０個入賞したか、の何れかの終了条件が先に満たされた場合に１つのラウンドが終了し、そのラウンドが所定複数回繰り返される。これにより、上大入賞口６１への入球が可能になり、その入球数に応じた賞球が上皿２７Ａに払い出されることで、通常時より多くの賞球、即ち、利益が遊技者に付与される。
【００７２】
さて、各ラウンド終了時に開閉扉７１が閉じる際に、図９（Ａ）に示すように、遊技球が開閉扉７１と扉対向壁４８との間に挟まる事態が生じ得る。そして、遊技球が開閉扉７１と扉対向壁４８との間に挟まった事態が継続すると、その挟まった遊技球の前後で開閉扉７１と扉対向壁４８との間の隙間を通して遊技球が上大入賞口６１に入球する異常な状態になる。
【００７３】
しかしながら、開閉扉７１の先端面７１Ｓは斜め下側前方を向くように傾斜しているので、開閉扉７１の先端縁に当接した遊技球が上大入賞口６１内に誘導され、遊技球が開閉扉７１と扉対向壁４８との間に挟まった事態は早期に解消される。
【００７４】
そして、その開閉扉７１の先端面７１Ｓによっても遊技球の挟持状態が解消されなくても、本実施形態のパチンコ遊技機１０では、開閉扉７１の先端縁のうち扉上球転動方向Ｈ１の下端部を切り欠いて扉切欠部７２が形成されているので、開閉扉７１と扉対向壁４８との間に挟まった遊技球が、開閉扉７１の傾斜により扉切欠部７２に誘導され、扉切欠部７２に受容されるときに開閉扉７１と扉対向壁４８との挟持力が弱まって遊技球が上大入賞口６１内に取り込まれる。
【００７５】
このとき、図９（Ｂ）に示すように、仮に扉切欠部７２の奥面７２Ａと扉対向壁４８との間に遊技球が挟まっても、扉切欠部７２の奥行きは遊技球の直径より小さくなっているので本発明に係る「半開位置」に相当する半開きになった開閉扉７１の先端縁と扉対向壁４８との間から上大入賞口６１内に遊技球が進入することはない。これにより、上大入賞口６１の異常入球を抑えることができる。
【００７６】
しかも、扉切欠部７２の奥面７２Ａが傾斜して、扉上球転動方向Ｈ１の下流に向かうに従って扉切欠部７２の奥行きが広くなっているので、扉切欠部７２の奥面７２Ａと扉対向壁４８との間に挟持された遊技球が扉切欠部７２内で下流側に移動することで開閉扉７１が扉対向壁４８へと接近し、遊技球の異常入球をより確実に防止することができる。
【００７７】
また、開閉扉７１が半開き状態では、図１０に示すように、ストッパ突部９０Ｃとストッパ兼用溝対向壁８７Ｗとは扉上球転動方向Ｈ１で位置が互いにずれて扉直動方向Ｈ２で対向しないので、開閉扉７１側から加えられる外力（本発明に係る「開駆動力」に相当する）によって開閉扉７１が開かれる。これにより、扉切欠部７２の奥面７２Ａと扉対向壁４８との間に挟まった遊技球に他の遊技球が当接したときや遊技ホールの係員が前面枠１１０を開いて開閉扉７１を押すことで、開閉扉７１を開放方向に移動して挟まっている遊技球を排除して、開閉扉７１を閉鎖位置に移動することができる。
なお、本実施形態を概念化すると、以下[１]〜[１０]の発明となる。
［１］遊技球が流下可能な遊技領域と、
前記遊技領域を流下する遊技球が入球可能となるように上方に向かって開放した入球口と、
前記入球口の開口面と平行な扉直動方向に直動して前記入球口を開閉すると共に、上面のうち前記扉直動方向と直交した横方向の一端部が他端部より低くなるように傾斜した開閉扉とを備え、
前記開閉扉が前記扉直動方向の閉鎖位置に配置されると、前記開閉扉の先端縁と前記入球口の開口縁に備えた扉対向壁との間が遊技球の直径より狭くなって前記入球口への遊技球の入球が規制されかつ前記開閉扉上を遊技球が転動して通過可能となる一方、前記開閉扉が前記扉直動方向の開放位置に配置されると、前記開閉扉の先端縁と前記扉対向壁との間が遊技球の直径より広くなって前記入球口に遊技球が入球可能となり、前記入球口への入球に起因して遊技者に利益を付与する遊技機において、
前記開閉扉の先端縁のうち前記開閉扉上の遊技球の転動方向である扉上球転動方向の下端部を、前記扉対向壁から離れる側に切り欠いて扉切欠部を形成すると共に、前記扉直動方向の奥行きを遊技球の直径より小さくするように設定し、
前記開閉扉が前記開放位置から前記閉鎖位置へと移動して、前記開閉扉の先端縁と前記扉対向壁との間に遊技球が挟まった場合に、その挟まった遊技球が前記開閉扉の傾斜により前記扉切欠部に誘導されるようにしたことを特徴とする遊技機。
［１］の遊技機では、入球口が上方に向かって開放し、その入球口の開口面と平行な扉直動方向に開閉扉が直動して入球口が開閉される。そして、開閉扉が閉鎖位置に配置されると、開閉扉の先端縁と入球口の開口縁に備えた扉対向壁との間が遊技球の直径より狭くなって入球口への遊技球の入球が規制されかつ開閉扉上を遊技球が転動して通過可能となる。一方、開閉扉が往復動方向の開放位置に配置されると、開閉扉の先端縁と扉対向壁との間が遊技球の直径より広くなって入球口に遊技球が入球可能となり、入球口への入球に起因して遊技者に利益が付与される。ここで、本発明の遊技機では、開閉扉の先端縁のうち扉上球転動方向の下端部を切り欠いて扉切欠部が形成されているので、開閉扉を閉じる際に扉対向壁との間に遊技球が挟まっても、その挟まった遊技球は、開閉扉の傾斜により扉切欠部に誘導される。そして、扉切欠部に受容されるときに開閉扉と扉対向壁との挟持力が弱まって入球口内に取り込まれる。また、扉切欠部の奥行きは遊技球の直径より小さくなっているので、仮に、遊技球が入球口に取り込まれずに扉切欠部の奥部と扉対向壁との間に挟持されたとしても、半開きになった開閉扉の先端縁と扉対向壁との間から入球口内に遊技球が進入することはないし、開閉扉が閉鎖位置に配置された状態で扉切欠部を通して入球口に遊技球が入球することもない。これらにより、入球口の異常入球を抑えることができる。
［２］前記扉切欠部は、前記扉上球転動方向の下流に向かうに従って前記扉直動方向で広くなるように形成されたことを特徴とする［１］に記載の遊技機。
［２］の構成によれば、扉切欠部は、扉上球転動方向の下流に向かうに従って扉直動方向で広くなっているので、扉切欠部の奥部と扉対向壁との間に挟持された遊技球が下流側に移動するに従って開閉扉が扉対向壁へと接近することになり、遊技球の異常入球をより確実に防止することができる。
［３］前記開閉扉の先端縁の下面側を面取りして先細り形状にしたことを特徴とする［１］又は［２］に記載の遊技機。
［３］の構成によれば、開閉扉の先端縁の下面側を面取りして先細り形状にしたので、開閉扉の先端縁に当接した遊技球が入球口内に誘導され、開閉扉と扉対向壁との間に遊技球を挟まり難くすることができる。
［４］当否判定条件の成立に基づいて当否判定を行う当否判定手段と、
前記当否判定手段が当りと判定したことに基づいて大当り遊技を実行して、前記開閉扉を前記閉鎖位置から前記開放位置へと移動すると共に、予め設定された開放時間が経過するか又は予め設定された入球個数の遊技球が前記入球口に入球したときに前記開閉扉を前記閉鎖位置に移動する大当り遊技実行手段とを備えたことを特徴とする［１］乃至［３］の何れかに記載の遊技機。
［４］の構成によれば、当否判定結果が当りであれば、開閉扉が閉鎖位置から開放位置へと移動し、入球口への入球により遊技者が利益を得ることができるので、遊技者に当否判定の結果に対する興味と興奮を抱かせることができる。
［５］前記開閉扉が前記閉鎖位置に配置された状態で、前記開閉扉の正規の駆動源以外の外部から、前記開閉扉を前記開放位置に移動するための開駆動力を受けたときに前記開閉扉の前記開放位置への移動を規制すると共に、前記開閉扉が前記扉切欠部の奥部と前記扉対向壁との間に遊技球を挟んで半開位置に配置された状態で、前記正規の駆動源以外の外部から前記開駆動力を受けたときに前記開閉扉の前記開放位置への移動を許容する扉開放規制機構を備えたことを特徴とする［１］乃至［４］の何れかに記載の遊技機。
［５］の構成によれば、閉鎖位置に配置された開閉扉は、正規の駆動源以外の外力で開くことが規制されているので、不正に開閉扉を開く行為が防がれる。それでいて、半開位置に配置された開閉扉は、正規の駆動源以外の外力で開くことができるので、遊技ホールの係員が、開閉扉と扉対向壁との間に遊技球を押し込んで開閉扉を広げながら遊技球を入球口に容易に入球させることができる。
［６］前記開閉扉を前記閉鎖位置に付勢する付勢手段と、前記付勢手段に抗して前記開閉扉を前記開放位置に移動するための電気的駆動源と、前記電気的駆動源から前記開閉扉へと動力を伝達するために往復動可能なリンク部材とを備え、
前記開閉扉のうち前記扉上球転動方向の中央に対して左右対称となる対称二位置に前記リンク部材との連結部を設けたことを特徴とする［１］乃至［４］の何れかに記載の遊技機。
［６］の構成によれば、開閉扉の姿勢が安定して、スムーズな開閉扉の直動動作が可能になる。
［７］前記開閉扉を前記閉鎖位置に付勢する付勢手段と、
前記付勢手段に抗して前記開閉扉を前記開放位置に移動するための電気的駆動源と、
前記電気的駆動源に設けられて、前記扉直動方向と直交する方向に直動する直動出力部と、
前記直動出力部から前記開閉扉へと動力を伝達するために往復動可能なリンク部材と、
前記リンク部材と前記開閉扉とにより構成され、前記直動出力部の直動を前記扉直動方向に変換して前記開閉扉に伝達する動力変換機構とを備えたことを特徴とする［１］乃至［６］の何れかに記載の遊技機。
［７］の構成によれば、開閉扉と電気的駆動源とを扉直動方向でコンパクトに配置することができる。
［８］前記電気的駆動源は、前記扉上球転動方向と略平行に直動する前記直動出力部としてのプランジャを中心部に挿通して備えたソレノイドであり、
前記リンク部材として、前記プランジャと一体になって直動する直動リンク部材と、前記扉直動方向と前記扉上球転動方向とに共に直交した回転軸を中心に回転可能に設けられた回動リンク部材とが備えられ、
前記回動リンク部材の回転中心に対して前記扉直動方向でオフセットした位置に配置されて前記扉上球転動方向で互いに当接し、前記直動リンク部材の直動により前記回動リンク部材を回転させる第１動力伝達当接部を前記直動リンク部材と前記回動リンク部材とに設けると共に、
前記回動リンク部材の回転中心に対して前記扉上球転動方向でオフセットした位置に配置されて前記扉直動方向で互いに当接し、前記回動リンク部材の回転により前記開閉扉を前記扉直動方向に直動させる第２動力伝達当接部を前記回動リンク部材と前記開閉扉とに設けたことを特徴とする［７］に記載の遊技機。
［８］の構成によれば、ソレノイドによって扉上球転動方向と略平行に駆動されるプランジャの直動を、扉直動方向に変換して開閉扉に伝達することができ、これにより、開閉扉とソレノイドとを扉直動方向でコンパクトに配置することができる。
［９］前記回動リンク部材を対にして設け、前記第２動力伝達当接部を前記開閉扉のうち前記扉上球転動方向の中央に対して左右対称となる対称二位置に配置したことを特徴とする［８］に記載の遊技機。
［９］の構成によれば、［６］の構成の場合と同様に、開閉扉の姿勢が安定して、スムーズな開閉扉の直動動作が可能になる。
［１０］前記プランジャを前記ソレノイドから突出させる方向に付勢するスプリングを前記付勢手段として備え、前記ソレノイドが非励磁状態で前記スプリングの付勢により前記第１動力伝達当接部同士がクリアランスを介して離間するように構成し、
前記回動リンク部材には、前記ソレノイドが非励磁状態で、前記直動リンク部材の前記第１動力伝達当接部に対して前記扉直動方向で対向する一方、前記ソレノイドを励磁したときに、前記直動リンク部材の前記第１動力伝達当接部が前記回動リンク部材の前記第１動力伝達当接部に当接する位置まで前記クリアランス分の距離を移動することで、前記直動リンク部材の前記第１動力伝達当接部に対して前記扉直動方向で対向しなくなる回転ストッパを備えたことを特徴とする［８］又は［９］に記載の遊技機。
［１０］の構成によれば、閉鎖位置に配置された開閉扉は、ソレノイドの出力以外で開くことが規制されているので、不正に開閉扉を開く行為が防がれる。
【００７８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７９】
（１）前記実施形態では、遊技機の一例としてパチンコ遊技機１０を例示したが、遊技球を使用する遊技機であればパチンコ遊技機１０に限るものではなく、例えばアレンジボール等に本発明を適用してもよい。
【００８０】
（２）前記実施形態では、開閉扉７１の先端面７１Ｓを扉対向壁４８に対して平行にしていたが、扉切欠部７２の奥面７２Ａと同様に、扉上球転動方向Ｈ１の下流、即ち扉切欠部７２に向かうに従って扉対向壁４８から離れるように微妙に傾斜させてもよい。これにより、開閉扉７１の先端面７１Ｓと扉対向壁４８との間に挟持された遊技球を、より扉切欠部７２に誘導することができる。
【００８１】
（３）前記実施形態では、扉対向壁４８は平坦面であったが、開閉扉７１と対向する面に開閉扉７１の先端縁を受容する溝を形成してもよい。
【００８２】
（４）前記実施形態では、開閉扉７１とソレノイド８１のプランジャ８２との間を、直動リンク部材８４と１対の回動リンク部材９０，９０を介して連結していたが、リンク部材は３つに限られず、１つでも２つ以上でもよいし、開閉扉７１とプランジャ８２との間を直接連結してもよい。また、回動リンク部材９０，９０を、直動リンク部材８４及び開閉扉７１と常には係合せず、カム機構のように作動時のみ係合するように構成してもよい。
【００８３】
（５）前記実施形態では、開閉扉７１を開閉駆動するための駆動源として、ソレノイド８１を備えていたが、モータを駆動源としてモータの回転力をスライド方向の動作に変換するものであってもよい。モータで構成した場合には、ギア部材により往復スライドする並進部材に直動リンク部材８４を接続する事により実現できる。
【００８４】
（６）前記実施形態では、開閉扉７１の上面を凹凸の無い平坦面としていたが、遊技球が停止しない程度の凹凸面としてもよい。
【００８５】
（７）前記実施形態では、特別図柄が奇数のゾロ目で停止表示したことを開放条件として、開閉扉７１が上大入賞口６１を開放するように構成していたが、その他の開放条件、例えば、始動入賞口１４Ｂに入賞した場合やリーチ状態になった場合、普通図柄表示器３８において点灯停止表示された場合に上大入賞口６１を開放するようにしてもよい。
【００８６】
（８）前記実施形態では、上大入賞口６１を、表示枠体４０の一部として設けていたが、表示枠体４０とは別個に設けてもよい。また、上大入賞口６１を表示枠体４０の上辺部分のうち頂上段差部４４より左側に配設していたが、表示枠体４０の別の位置、例えば、下大入賞口１５が配置されていた位置に（下大入賞口１５の替わりに）、上大入賞口６１を設けてもよい。
【００８７】
（９）前記実施形態では、開閉扉７１の傾斜方向と、上大入賞口６１の底壁の傾斜方向とが同方向であったが、左右方向の互いに相反する方向に下るように傾斜させてもよい。
【符号の説明】
【００８８】
１０    パチンコ遊技機
１２Ｋ  球進入口
４０    表示枠体
４０Ｆ  取付壁
４８    扉対向壁
６１    上大入賞口（入球口）
７１    開閉扉
７１Ｓ  先端面
７２    扉切欠部
７２Ａ  奥面
７３    ピン係合長孔
７３Ｚ  台座部（連結部，第２動力伝達当接部）
８１    ソレノイド（電気的駆動源）
８２    プランジャ（直動出力部）
８４    直動リンク部材
８６Ａ    プランジャ係合孔
８６Ｔ    ガイド突起
８７    ピン係合溝
８７Ｖ    溝対向壁（第１動力伝達当接部）
８７Ｗ    ストッパ兼用溝対向壁（第１動力伝達当接部）
９０    回動リンク部材
９０Ａ    下面ピン（第１動力伝達当接部）
９０Ｂ    上面ピン（第２動力伝達当接部）
９０Ｃ    ストッパ突部（回転ストッパ）
９９    動力変換機構（扉開放規制機構）
Ｈ１    扉上球転動方向
Ｈ２    扉直動方向
ＹＲ    遊技領域
【図１】
0005203424.tif 000002
【図２】
0005203424.tif 000003
【図３】
0005203424.tif 000004
【図４】
0005203424.tif 000005
【図５】
0005203424.tif 000006
【図６】
0005203424.tif 000007
【図７】
0005203424.tif 000008
【図８】
0005203424.tif 000009
【図９】
0005203424.tif 000010
【図１０】
0005203424.tif 000011